(57)【要約】【課題】簡単な施工で屋根の意匠性を向上させる。【解決手段】屋根面２上に基本屋根材３と、この基本屋根材３よりも大きな拡張屋根材４とが複数葺かれている屋根構造であって、屋根面２上に葺かれている拡張屋根材４の屋根流れ方向と直交する方向の働き寸法Ｌ３は、基本屋根材３の屋根流れ方向と直交する方向の働き寸法Ｌ１の整数倍とされていると共に、拡張屋根材４の屋根流れ方向の働き寸法Ｌ４は、基本屋根材３の屋根流れ方向の働き寸法Ｌ２の整数倍とする。【選択図】      図１
2005023601.tif 000002
【特許請求の範囲】
【請求項１】
屋根面（２）上に基本屋根材（３）と、この基本屋根材（３）よりも大きな拡張屋根材（４）とが複数ずつ葺かれている屋根構造であって、前記屋根面（２）上に葺かれている各拡張屋根材（４）の屋根流れ方向の働き寸法（Ｌ４）は、基本屋根材（３）の屋根流れ方向の働き寸法（Ｌ２）の整数倍とされていると共に、各拡張屋根材（４）の屋根流れ方向と直交する方向の働き寸法（Ｌ３）は、基本屋根材（３）の屋根流れ方向と直交する方向の働き寸法（Ｌ１）の整数倍とされていることを特徴とする屋根構造。
【請求項２】
前記複数の基本屋根材（３）、又は複数の拡張屋根材（４）のうちの一部は、他の基本屋根材（３）、又は他の拡張屋根材（４）と異なる色が着色されていることを特徴とする屋根構造。
【発明の詳細な説明】
【０００１】
【発明の属する技術分野】
本発明は、屋根構造に関するものである。
【０００２】
【従来の技術】
従来より、屋根材を使用して建物の屋根を構成したものとして、例えば、図１２、１３示すような屋根構造がある。
図１２に示すような、屋根構造２０は、屋根面２１に複数の屋根材２２が軒先Ａから棟先Ｂにかけて格子状に屋根流れ方向に葺かれている構造である。この屋根を構成している各屋根材２２は、長方形板状に形成されており、互いの屋根材２２の大きさは同じとなっている（例えば、特許文献１）。また、図１３に示す屋根構造３０は、屋根面３１状に同じ大きさの複数の屋根材３２が軒先Ａから棟先Ｂにかけて千鳥状に屋根流れ方向に葺かれている構造である。
【０００３】
【特許文献１】
特開平１０−２５８５９号公報
【０００４】
【発明が解決しようとする課題】
図１２に示すような従来の屋根では、屋根面２１に葺かれている複数の屋根材２２の大きさがそれぞれ同じ大きさであるために、屋根の目地が格子状で一様であり、単調な屋根となっていた。また、図１３に示すような従来の屋根においても、屋根面３１に葺かれている複数の屋根材３２の大きさがそれぞれ同じ大きさであるために、屋根の目地が格子状で一様であり、単調な屋根となっていた。
そこで、本発明は、上記問題点に鑑み、簡単な施工で屋根の意匠性を向上させることができる屋根構造を提供することを目的とする。
【０００５】
【課題を解決するための手段】
この技術的課題を解決するための本発明の技術的手段は、屋根面上に基本屋根材と、この基本屋根材よりも大きな拡張屋根材とが複数葺かれている屋根構造であって、前記屋根面上に葺かれている拡張屋根材の屋根流れ方向の働き寸法は、基本屋根材の屋根流れ方向の働き寸法の整数倍とされていると共に、拡張屋根材の屋根流れ方向と直交する方向の働き寸法は、基本屋根材の屋根流れ方向と直交する方向の働き寸法の整数倍とされているいる点にある。
【０００６】
また、本発明の技術的手段は、前記複数の基本屋根材、又は複数の拡張屋根材のうちの一部は、他の基本屋根材、又は他の拡張屋根材と異なる色が着色されている。
【０００７】
【発明の実施の形態】
以下、本発明の実施の形態を図面に基づいて説明する。
図１は、本発明に係る第１の実施の形態の屋根構造を示している。なお、図１、４〜６に図示している、矢印ａ側を棟側とし、矢印ｂ側を軒側とする。
図１に示すように、この屋根１は、屋根面２上に大きさの異なる大小の基本屋根材３と拡張屋根材４とが複数枚ずつ葺かれている構造となっている。
基本屋根材３（小屋根材）は、拡張屋根材４（大屋根材）よりも小さく形成されており、拡張屋根材４は基本屋根材３の大きさを基準として大きさが決められている。
【０００８】
図２、図３（ａ）に示すように、基本屋根材３は、金属又は樹脂等で長方形板状に形成されており、基本屋根材３の長辺縁部の一方は表面側に折り返されて表側係止部９ａが形成され、長辺縁部の他方は裏面側に折り返されて裏側係止部１０ａが形成されている。また、基本屋根材３の短辺縁部の一方は表面側に折り返されて表側係止部９ｂが形成され、短辺縁部の他方は裏面側に折り返されて裏側係止部１０ｂが形成されており、これらにより、屋根材３、４同士が互いに連結可能となっている。
【０００９】
なお、この基本屋根材３が屋根面２に葺かれた際に、基本屋根材３の表面うち屋根として働く部分（露出部分）を屋根働き面１１としており、この屋根働き面１１の長手方向の長さＬ１（屋根流れ方向と直交する方向の働き寸法）及び幅方向の長さＬ２（屋根流れ方向の働き寸法）は所定の寸法に定められている。
図２、図３（ｂ）に示すように、拡張屋根材４は、基本屋根材３と同様に表側係止部９ａ、９ｂと、裏側係止部１０ａ、１０ｂと、屋根働き面１１とが形成されており、拡張屋根材４の屋根働き面１１の長手方向の寸法Ｌ３（屋根流れ方向と直交する方向の働き寸法）は、基本屋根材３の屋根働き面１１の長手方向の寸法Ｌ１の整数倍（例えば２倍）に設定されている。また、拡張屋根材４の屋根働き面１１の幅方向の寸法Ｌ４（屋根流れ方向の働き寸法）は、基本屋根材３の屋根働き面１１の幅方向の寸法Ｌ２の整数倍（例えば２倍）に設定されている。
【００１０】
したがって、この実施の形態における屋根１を構成する拡張屋根材４の屋根働き面１１の面積は、基本屋根材３の屋根働き面１１の４倍となっており、図１に示すように基本屋根材３の短辺縁部を互いに屋根流れ方向と直交する方向に２枚連結し、基本屋根材３の長辺縁部を屋根流れ方向に２枚それぞれ連結することによって、拡張屋根材４と同じ大きさの連結屋根材５を構成することができるようになっている。
そして、拡張屋根材４と同じ大きさの連結屋根材５と、拡張屋根材４とを屋根面２上において屋根流れ方向と直交する方向及び屋根流れ方向に交互に葺くことによって、図１のような屋根１を構成することができる。
【００１１】
また、連結屋根材５と拡張屋根材４とは、同じ大きさであるため、上記のように交互に配置するだけでなく、図４に示すように、軒先から棟先にかけて段ごとに連結屋根材５と拡張屋根材４とを交互に葺くことも可能である。
次に、基本屋根材３及び拡張屋根材４を屋根面２に取り付ける金具と、その金具を用いて各屋根材３、４を屋根面２に取り付ける施工方法について説明する。
図５〜７に示すように、屋根面２上に葺かれる基本屋根材３及び拡張屋根材４（連結屋根材５）は、吊り子金具１４により屋根面２に固定されるようになっており、各屋根材３、４は軒先側から棟側に向かって葺き上げられている。
【００１２】
各屋根材３、４を屋根面２に固定する吊り子金具１４は、金属製の帯片をクランク状に折り曲げることによって形成したもので、その先端部には屋根材３、４を係止する係止部１５が形成され、その後端部には屋根面３に取り付ける取付部１６が形成されている。
図１に示すように、基本屋根材３及び拡張屋根材４を屋根面２に葺くには、例えば、図５に示すように、野路板１７上に防水シートを貼り付けた屋根面２に、拡張屋根材４の表側係止部９ａが棟側になるように拡張屋根材４を配置し、図７に示すように、この拡張屋根材４の表側係止部９ａに吊り子金具１４の係止部１５を係止した後、吊り子金具１４の取付部１６を釘１８等により屋根面２上に固定して拡張屋根材４を屋根面２に取り付ける。その後、拡張屋根材４に連結する右側の基本屋根材３（３ａ）と拡張屋根材４との軒先側の出面を合わせながら、右側の基本屋根材３（３ａ）の裏側係止部１０ｂを拡張屋根材４の表側係止部９ｂに係止して、屋根流れ方向と直交する方向に拡張屋根材４と基本屋根材３とを連結する。
【００１３】
そして、拡張屋根材４と連結した基本屋根材３（３ａ）を拡張屋根材４と同様に、吊り子金具１４により固定した後、その基本屋根材３（３ａ）の表側係止部９ａに別の基本屋根材３（３ｂ）の裏側係止部１０ａを上側（棟側）から係止すると共に、図８に示すように拡張屋根材４の表側係止部９ｂに基本屋根材３（３ｂ）の裏側係止部１０ｂを係止する。
したがって、基本屋根材３の幅方向の働き寸法Ｌ２を基準として拡張屋根材４の幅方向の寸法Ｌ４を２倍に設定しているので、上記の如く、屋根流れ方向に基本屋根材３ａ、３ｂを連結したとき、基本屋根材３ｂの棟側端部とそれに隣り合う拡張屋根材４の棟側端部との出面が略一致する。
【００１４】
即ち、拡張屋根材４の屋根流れ方向の働き寸法Ｌ４を基本屋根材３の屋根流れ方向の働き寸法Ｌ２の整数倍にすることで、大きさの異なる屋根材３、４を屋根面２に葺き上げた場合でも、屋根流れ方向と直交する方向の屋根の目地を直線状に揃えることができる。
さらに、基本屋根材３ａ、３ｂを連結したときに、基本屋根材３ａ、３ｂで構成される屋根の目地を拡張屋根材４の短辺の略中間に位置することができる。
また、拡張屋根材４と基本屋根材３とを屋根流れ方向に連結する場合は、図６に示すように、例えば、拡張屋根材４と連結する基本屋根材３ｃのけらば側の出面と拡張屋根材４の出面とを合わせて、基本屋根材３ｃと拡張屋根材４とを連結し、その後、屋根流れ方向と直交する方向に基本屋根材３ｃと基本屋根材３ｄとを連結すると共に、この基本屋根材３ｄと拡張屋根材４とを連結すればよい。
【００１５】
したがって、基本屋根材３の長手方向の働き寸法Ｌ１を基準として拡張屋根材４の長手方向の寸法Ｌ３を２倍に設定しているので、上記の如く、基本屋根材３ｃと基本屋根材３ｄとを屋根流れ方向と直交する方向に連結したとき、基本屋根材３ｃの右側端部と拡張屋根材４の右側端部との出面が略一致する。
即ち、拡張屋根材４の屋根流れ方向と直交する方向の働き寸法Ｌ３を基本屋根材３の屋根流れ方向と直交する方向の働き寸法Ｌ１の整数倍にすることで、大きさの異なる屋根材３、４を屋根面２に葺き上げた場合でも、屋根流れ方向の屋根の目地を直線状に揃えることができる。
【００１６】
以上、第１の実施の形態によれば、大きさの異なる大小の屋根材３、４を簡単に屋根面２に葺き上げることができ、しかも、同一の大きさの屋根材３が葺かれている屋根に比べて、大小の屋根材３、４の組み合わせができるので、意匠性が向上し、屋根の自由性の高い外観を得ることができる。
また、このように大小の屋根材３、４を屋根面２に葺くことによって、屋根の目地を変化させることが可能となる。
さらに、基本屋根材３の屋根流れ方向の屋根働き寸法Ｌ２及び屋根流れ方向と直交する方向の屋根働き寸法Ｌ１を基準として、拡張屋根材４の屋根流れ方向の屋根働き寸法Ｌ４及び屋根流れ方向と直交する方向の屋根働き寸法Ｌ３が整数倍に設定されているので、各屋根材３、４を連結する場合、屋根の目地合わせが簡単にすることができる。
【００１７】
次に、本発明に係る第２の実施の形態の屋根構造について説明する。
図９に示すように、基本屋根材３の構成は、第１の実施の形態と同じであり、拡張屋根材４の構成が異なっている。
この拡張屋根材４の屋根働き面１１の屋根流れ方向の働き寸法Ｌ４は、基本屋根材３の屋根働き面１１の屋根流れ方向の寸法Ｌ２の整数倍（５倍）に設定されている。また、拡張屋根材４の屋根働き面１１の屋根流れ方向と直交する方向の働き寸法Ｌ３は、基本屋根材３の屋根働き面１１の屋根流れ方向と直交する方向の働き寸法Ｌ１の整数倍（１倍）に設定されている。
【００１８】
したがって、基本屋根材３を屋根流れ方向に５枚連結することによって拡張屋根材４と同じ大きさの連結屋根材５を構成することができる。
そして、この連結屋根材５と拡張屋根材４と基本屋根材３とを組み合わせて連結することによって、図９に示すような屋根を構成することができる。
次に、本発明に係る第３の実施の形態の屋根構造について説明する。
図１０に示すように、基本屋根材及び拡張屋根材の構成は第１の実施の形態と同じであり、複数の基本屋根材３、又は複数の拡張屋根材４のうちの一部は、他の基本屋根材３、又は他の拡張屋根材４と異なる色が着色されている。なお、図１０おいて、各屋根材３、４の右下に付している番号は各屋根材３、４の色を示しており、（１）は茶色、（２）は黒色、（３）は緑色を示している。
【００１９】
例えば、屋根の棟側最上段の左側の基本屋根材３ｅの屋根面１１には、茶色系（ブラウン）が着色され、その基本屋根材３ｅに屋根流れ方向と直交する方向に隣合う基本屋根材３ｆの屋根面１１には、黒色系（ブラック）が着色されている。また、屋根の棟側最上段の拡張屋根材４の屋根面１１には、緑色系（グリーン）が着色されており、他の各基本屋根材３や各拡張屋根材４にも、屋根面１１に色が着色されている。
したがって、各基本屋根材３や各拡張屋根材４の１枚ごとに様々な色が着色され、基本屋根材３と拡張屋根材４には、異なる色が着色されていることから屋根面２の全体の色彩が多様になり、バラエティに富んだ意匠性のある屋根を構成することができる。
【００２０】
また、色の異なる基本屋根材３と、拡張屋根材４とを交互に入れ替えれば、これにより、屋根全体の色彩を変化させることができる。
なお、各基本屋根材３や各拡張屋根材４に着色する色は、上記に限らず、赤色系（レッド）、灰色系（グレイ）等、その他の色であってもよい。
本発明は、上記記載の実施の形態に限定されることなく適宜に設計変更が可能である。上記実施の形態では、１つの屋根につき、１種類の基本屋根材３とこの基本屋根材３を基準として１種類の拡張屋根材４を構成したが、拡張屋根材４は、１つの屋根につき１種類だけでなく数種類の拡張屋根材４であってもよい。例えば、図１１に示すように、１つの基本屋根材３と２種類の拡張屋根材４を用いて屋根を構成してもよい。
【００２１】
【発明の効果】
本発明によれば、屋根の意匠性を向上させることができる屋根構造を提供することができ、しかも、複数の基本屋根材を連結することによって、拡張屋根材と同じ大きさの屋根材を構成することができるので、屋根の目地を揃え易く、拡張屋根材と基本屋根材との連結も容易になすことができる。
【図面の簡単な説明】
【図１】本発明の第１の実施の形態を示す屋根構造の平面図である。
【図２】同屋根構造を構成する屋根材の斜視図である。
【図３】ａ）同基本屋根材の平面図である。ｂ）同拡張屋根材の平面図である。
【図４】同屋根材の他の配置図である。
【図５】同屋根材を屋根面に取り付ける説明図である。
【図６】同拡張屋根材の廻りに基本屋根材を取り付けた平面図である。
【図７】図１のＹ−Ｙ断面図である。
【図８】図１のＸ−Ｘ断面図である。
【図９】本発明の第２の実施の形態を示す屋根構造の平面図である。
【図１０】本発明の第３の実施の形態を示す屋根構造の平面図である。
【図１１】１つの屋根に対して２種類の拡張屋根材を葺いた屋根構造の平面図である。
【図１２】従来の屋根構造の平面図である。
【図１３】従来の屋根構造の平面図である。
【符号の説明】
１    屋根構造
２    屋根面
３  基本屋根材
４  拡張屋根材
Ｌ１  基本屋根材の屋根流れ方向と直交する方向の働き寸法
Ｌ２  基本屋根材の屋根流れ方向の働き寸法
Ｌ３    拡張屋根材の屋根流れ方向と直交する方向の働き寸法
Ｌ４  拡張屋根材の屋根流れ方向の働き寸法
【図１】
2005023601.tif 000003
【図２】
2005023601.tif 000004
【図３】
2005023601.tif 000005
【図４】
2005023601.tif 000006
【図５】
2005023601.tif 000007
【図６】
2005023601.tif 000008
【図７】
2005023601.tif 000009
【図８】
2005023601.tif 000010
【図９】
2005023601.tif 000011
【図１０】
2005023601.tif 000012
【図１１】
2005023601.tif 000013
【図１２】
2005023601.tif 000014
【図１３】
2005023601.tif 000015